(57)【要約】  ワイヤレス端末から受信された通信の復号を容易にするための方法、装置およびコンピュータプログラム製品が開示される。符号化ビットは共用アップリンクチャネルを介してワイヤレス端末から受信され、複数の肯定応答トーンは符号化ビット内で識別される。複数の肯定応答トーン内の検出されたビットと、複数の有効な肯定応答コードワードのうちのいずれかに対応する有効ビットとの間の相関に対応する相関値が確認される。次いで、相関値を閾値と比較することによって、複数の肯定応答トーンが不連続送信に対応する情報を含むかどうかについて判断される。
2013531925.tif 000002
【特許請求の範囲】
【請求項１】
ワイヤレス端末から受信された通信の復号を容易にするための方法であって、
コンピュータ可読媒体上に記憶されたコンピュータ実行可能命令を実行して、
共有アップリンクチャネルを介して複数の符号化ビットを受信することと、
前記複数の符号化ビット内で、複数の肯定応答トーンを識別することと、
前記複数の肯定応答トーン内の検出されたビットと、複数の有効な肯定応答コードワードのいずれかに対応する有効ビットとの間の相関に対応する相関値を確認することと、
前記相関値を閾値と比較することによって、前記複数の肯定応答トーンが不連続送信に対応する情報を含むかどうかを判断することと
を含む一連の動作を実施するためのプロセッサを採用することを備える方法。
【請求項２】
前記検出ビットは情報ビットを含み、前記確認することは、前記情報ビットの各々にそれぞれ対応する複数の対数尤度比値の関数である請求項１に記載の方法。
【請求項３】
前記情報ビットの各々は対応するビット位置を有し、前記確認することは、共通のビット位置を有する前記情報ビットのサブセットに関連する対数尤度比値の和にそれぞれ対応する複数の和を確認することをさらに備え、前記相関値は前記複数の和によって決まる請求項２に記載の方法。
【請求項４】
前記複数の対数尤度比値の各々についての絶対値を確認することをさらに備え、前記判断することは、前記相関値を、前記複数の対数尤度比値の各々についての前記絶対値の和と比較することを備える請求項３に記載の方法。
【請求項５】
前記確認することは、前記複数の有効な肯定応答コードワードのうちの１つにそれぞれ関連する複数の潜在的相関値から前記相関値を選択することをさらに備え、前記相関値は前記複数の潜在的相関値のうちの最大値である請求項１に記載の方法。
【請求項６】
前記複数の肯定応答トーンの各々を複数のセグメントに分割することをさらに備え、前記確認することは、前記複数のセグメントの各々について確認された対数尤度比値の関数である請求項１に記載の方法。
【請求項７】
前記複数のセグメントの各々は対応するセグメント位置を有し、前記確認することは、共通のセグメント位置を有する前記検出ビットのサブセットに関連する対数尤度比値の和にそれぞれ対応する複数の和を確認することをさらに備え、前記相関値は前記複数の和によって決まる請求項６に記載の方法。
【請求項８】
前記受信することは、複数の送信を介して前記複数の符号化ビットを受信することを備える請求項１に記載の方法。
【請求項９】
前記確認することは、前記複数の有効な肯定応答コードワードの各々についての変調次数を確認することをさらに備え、前記相関値は、前記複数の有効な肯定応答コードワードの各々についての変調次数の関数である請求項１に記載の方法。
【請求項１０】
前記確認することは、肯定応答インジケータについての予期ビット長を確認することをさらに備え、前記相関値は前記予期ビット長の関数として確認される請求項１に記載の方法。
【請求項１１】
ワイヤレス端末から受信された通信の復号を容易にするための装置であって、
メモリに記憶されたコンピュータ実行可能コンポーネントを実行するように構成されたプロセッサを備え、前記コンポーネントが、
複数の肯定応答トーンを含む複数の符号化ビットを、共有アップリンクチャネルを介して受信するように構成された受信コンポーネントと、
前記複数の肯定応答トーン内の検出されたビットと、複数の有効な肯定応答コードワードのうちのいずれかに対応する有効なビットとの間の相関に対応する相関値を確認するように構成された相関コンポーネントと、
前記相関値を閾値と比較することによって、前記複数の肯定応答トーン内の不連続送信を検出するように構成された復号コンポーネントと
を備える装置。
【請求項１２】
前記検出ビット内の情報ビットにそれぞれ対応する複数の対数尤度比値を確認するように構成された確率コンポーネントをさらに備え、前記相関コンポーネントは、前記複数の対数尤度比値の関数として前記相関値を確認するようにさらに構成される請求項１１に記載の装置。
【請求項１３】
前記情報ビットの各々は対応するビット位置を有し、前記相関コンポーネントは、共通のビット位置を有する前記情報ビットのサブセットに関連する対数尤度比値の和にそれぞれ対応する複数の和を確認するようにさらに構成され、前記相関値は前記複数の和によって決まる請求項１２に記載の装置。
【請求項１４】
前記相関コンポーネントは、前記複数の対数尤度比値の各々についての絶対値を確認するように構成され、復号コンポーネントは、前記相関値を前記複数の対数尤度比値の各々についての前記絶対値の和と比較することによって、前記不連続送信を検出するように構成される請求項１３に記載の装置。
【請求項１５】
前記相関コンポーネントは、前記複数の有効な肯定応答コードワードのうちの１つにそれぞれ関連する複数の潜在的相関値から前記相関値を選択するように構成され、前記相関値は前記複数の潜在的相関値のうちの最大値である請求項１１に記載の方法。
【請求項１６】
前記検出ビットの各々についての対数尤度比値を確認するように構成された確率コンポーネントと、前記複数の肯定応答トーンの各々を複数のセグメントに分割するように構成された相関コンポーネントとをさらに備え、前記複数のセグメントの各々は対応する対数尤度比値を有し、前記相関コンポーネントは、前記複数のセグメントの各々についての対応する対数尤度比値の関数として前記相関値を確認するようにさらに構成される請求項１１記載の装置。
【請求項１７】
前記複数のセグメントの各々は対応するセグメント位置を有し、前記相関コンポーネントは、共通のセグメント位置を有する前記検出ビットのサブセットに関連する対数尤度比値の和にそれぞれ対応する複数の和を確認するようにさらに構成され、前記相関コンポーネントは前記複数の和に基づいて前記相関値を確認するようにさらに構成される請求項１６に記載の装置。
【請求項１８】
前記制御チャネル割当てを前記ワイヤレス端末に送信するように構成された送信コンポーネントをさらに備える請求項１１に記載の装置。
【請求項１９】
前記相関コンポーネントは、前記複数の有効な肯定応答コードワードの各々についての変調次数を確認するように構成され、前記相関コンポーネントは、前記複数の有効な肯定応答コードワードの各々についての変調次数の関数として前記相関値を確認するようにさらに構成される請求項１１に記載の装置。
【請求項２０】
前記相関コンポーネントは、肯定応答インジケータについての予期ビット長を確認するように構成され、前記相関コンポーネントは前記予期ビット長の関数として前記相関値を確認するようにさらに構成される請求項１１に記載の方法。
【請求項２１】
ワイヤレス端末から受信された通信の復号を容易にするためのコンピュータプログラム製品であって、
共有アップリンクチャネルを介して複数の符号化ビットを受信することと、
前記複数の符号化ビット内で、複数の肯定応答トーンを識別することと、
前記複数の肯定応答トーン内の検出されたビットと、複数の有効な肯定応答コードワードのいずれかに対応する有効ビットとの間の相関に対応する相関値を確認することと、
前記相関値を閾値と比較することによって、前記複数の肯定応答トーンが不連続送信に対応する情報を含むかどうかを判断することと
のためのコードを備えるコンピュータ可読記憶媒体
を備えるコンピュータプログラム製品。
【請求項２２】
ワイヤレス端末から受信された通信の復号を容易にするための装置であって、
共有アップリンクチャネルを介して複数の符号化ビットを受信するための手段と、
前記複数の符号化ビット内で、複数の肯定応答トーンを識別するための手段と、
前記複数の肯定応答トーン内の検出されたビットと、複数の有効な肯定応答コードワードのいずれかに対応する有効ビットとの間の相関に対応する相関値を確認するための手段と、
前記相関値を閾値と比較することによって、前記複数の肯定応答トーンが不連続送信に対応する情報を含むかどうかを判断するための手段と
を備える装置。
【発明の詳細な説明】
【技術分野】
【０００１】
以下の説明は、一般にワイヤレス通信に関し、より詳細には、共有アップリンクチャネル上でのトライステート復号を容易にするための方法および装置に関する。
【背景技術】
【０００２】
ワイヤレス通信システムは、ボイス、データなど、様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムとすることができる。このような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
一般に、ワイヤレス多元接続通信システムは、複数のワイヤレス端末のための通信を同時にサポートできる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立できる。
【０００４】
ＭＩＭＯシステムは、データ送信用の複数（ＮT）個の送信アンテナと複数（ＮR）個の受信アンテナとを採用する。ＮT個の送信アンテナとＮR個の受信アンテナによって形成されるＭＩＭＯチャネルは、空間チャネルとも呼ばれるＮS個の独立チャネルに分解され得、式中ＮS＝＜ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（例えば、より高いスループットおよび／またはより大きい信頼性）を与えることができる。
【０００５】
ＭＩＭＯシステムは時分割複信（ＴＤＤ）システムと周波数分割複信（ＦＤＤ）システムとをサポートする。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００６】
高信頼のワイヤレス通信システムの設計において、アップリンク送信の復号に関して特殊な注意が払われなければならない。例えば、参照により本明細書に組み込まれる現在のＬＴＥ仕様書（３ＧＰＰ  ＴＳ  ３６．２１２：「Ｅｖｏｌｖｅｄ  Ｕｎｉｖｅｒｓａｌ  Ｔｅｒｒｅｓｔｒｉａｌ  Ａｃｃｅｓｓ（Ｅ−ＵＴＲＡ）；Ｍｕｌｔｉｐｌｅｘｉｎｇ  ａｎｄ  Ｃｈａｎｎｅｌ  Ｃｏｄｉｎｇ」）では、アップリンク送信はシングルキャリア波形を使用する。データ送信がない場合、アップリンク肯定応答（ＡＣＫ）シンボルを含むアップリンク制御情報は、物理アップリンク制御チャネル（ＰＵＣＣＨ）を介して送信される。一方、データ送信と制御送信が１つのサブフレームの中に共存する場合、それらは物理アップリンク共有チャネル（ＰＵＳＣＨ）を介して送信される。ここで、ワイヤレス端末は時々物理ダウンリンク制御チャネル（ＰＤＣＣＨ）の割当てに失敗することから、ＰＵＳＣＨ送信を受信する基地局は、ＰＤＣＣＨ割当てを受信することに応じて、送信が制御情報（すなわち、ＡＣＫまたは否定応答（ＮＡＫ））を含むかどうか、またはワイヤレス端末がＰＤＣＣＨ割当てを失敗していることから、送信が不連続送信（ＤＴＸ）に対応するランダムデータを含むかどうかを確認しなければならない。しかしながら、現在のＰＵＳＣＨ復号技法は、ＰＵＳＣＨ送信がＤＴＸに対応するデータを含むかどうかを検出するには不十分である。従って、制御送信とデータ送信を運ぶ共有アップリンクチャネル上でトライステート復号を効率的に行うための方法および装置を開発することが望ましい。
【０００７】
現在のワイヤレス通信システムの上述した欠陥は、従来のシステムの一部の問題の大要を与えるものにすぎず、網羅的なものではない。従来のシステムの他の問題、および本明細書で説明する様々な非限定的な実施形態の対応する利益は、以下の説明を検討するとさらに明らかになり得る。
【発明の概要】
【０００８】
以下で、１つまたは複数の実施形態の基本的な理解を与えるために、このような実施形態の簡略化された概要を提示する。この概要は、すべての企図される実施形態の包括的な大要ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００９】
この１つまたは複数の実施形態および対応する開示に従って、共有アップリンクチャネルのトライステート復号の容易化に関連して、様々な態様が説明される。一態様では、方法およびコンピュータプログラム製品を開示する。このような実施形態内では、複数の符号化ビットは、共有アップリンクチャネルを介してワイヤレス端末から受信される。次いで、複数の符号化ビット内で、複数の肯定応答トーンが識別される。これらの実施形態は、複数の肯定応答トーン内の検出されたビットと、複数の有効な肯定応答コードワードに対応する有効ビットとの間の相関に対応する相関値を確認することをさらに含む。次いで、相関値を閾値と比較することによって、複数の肯定応答トーンが不連続送信に対応する情報を含むかどうかについて判断される。
【００１０】
別の態様では、ワイヤレス端末から受信された通信の復号を容易にするための装置が開示される。このような実施形態内では、本装置は、メモリに記憶されたコンピュータ実行可能コンポーネントを実行するように構成されたプロセッサを含む。コンピュータ実行可能コンポーネントは、受信コンポーネントと、相関コンポーネントと、復号コンポーネントとを含む。受信コンポーネントは、複数の符号化ビットが複数の肯定応答トーンを含む共有アップリンクチャネルを介して複数の符号化ビットを受信するように構成される。相関コンポーネントは、複数の肯定応答トーン内の検出されたビットと、複数の有効な肯定応答コードワードのうちのいずれかに対応する有効なビットとの間の相関に対応する相関値を確認するように構成される。復号コンポーネントは、相関値を閾値と比較することによって、複数の肯定応答トーン内の不連続送信を検出するように構成される。
【００１１】
さらなる態様では、ワイヤレス端末から受信された通信の復号を容易にするための別の装置が開示される。このような実施形態内で、共有アップリンクチャネルを介して複数の符号化ビットを受信するための手段が提供される。本装置はまた、複数の符号化ビット内で複数の肯定応答トーンを識別するための手段も含む。複数の肯定応答トーン内の検出されたビットと、複数の有効な肯定応答コードワードに対応する有効なビットとの間の相関に対応する相関値を確認するための手段もまた提供される。本装置は、相関値を閾値と比較することによって、複数の肯定応答トーンが不連続送信に対応する情報を含むかどうかについて判断するための手段をさらに含む。
【００１２】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用できる様々な方法のほんのいくつかを示すものであり、説明する実施形態は、すべてのこのような態様およびそれらの均等物を含むものとする。
【図面の簡単な説明】
【００１３】
【図１】本明細書に記載の様々な態様によるワイヤレス通信システムを示す図。
【図２】本明細書に記載の様々なシステムおよび方法とともに使用できる例示的なワイヤレスネットワーク環境を示す図。
【図３】一部の態様による共有アップリンクチャネル上でのトライステート復号を容易にするための例示的システムを示す図。
【図４】物理アップリンク共有チャネル（ＰＵＳＣＨ）の例示的フレーム構造を示す図。
【図５】本明細書の一態様によるトライステート復号を容易にする例示的基地局のブロック図。
【図６】共有アップリンクチャネル上でのトライステート復号の容易化を実現する電気コンポーネントの例示的な結合を示す図。
【図７】本明細書の一態様によるトライステート復号を容易にするための例示的な方法を示すフローチャート。
【図８】一部の態様によるトライステート復号を容易にするための非分割アルゴリズムの例示的実施を示す図。
【図９】複数のセルを含む様々な態様に従って実施される例示的な通信システムを示す図。
【図１０】本明細書で説明する様々な態様による例示的な基地局を示す図。
【図１１】本明細書で説明する様々な態様に従って実施される例示的なワイヤレス端末を示す図。
【発明を実施するための形態】
【００１４】
次に、図面全体にわたって、同様の要素を指すのに同様の参照符号を使用する図面を参照しながら、様々な実施形態について説明する。以下の記述では、説明の目的で、１つまたは複数の実施形態の完全な理解を与えるために多数の具体的な詳細を記載する。ただし、このような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００１５】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケットアクセス（ＨＳＰＡ）、および他のシステムなど様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装できる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実装できる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。
【００１６】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、例えば、より低いＰＡＰＲが送信電力効率の点でアクセス端末に大きな利益を与えるアップリンク通信において使用できる。従って、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡでアップリンク多元接続方式として実装できる。
【００１７】
高速パケットアクセス（ＨＳＰＡ）は、高速ダウンリンクパケットアクセス（ＨＳＤＰＡ）技術と高速アップリンクパケットアクセス（ＨＳＵＰＡ）または拡張アップリンク（ＥＵＬ）技術とを含むことができ、ＨＳＰＡ＋技術をも含むことができる。ＨＳＤＰＡ、ＨＳＵＰＡおよびＨＳＰＡ＋は、それぞれ、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）規格のリリース５、リリース６、およびリリース７の一部である。
【００１８】
高速ダウンリンクパケットアクセス（ＨＳＤＰＡ）は、ネットワークからユーザ機器（ＵＥ）へのデータ送信を最適化する。本明細書で使用する、ネットワークからユーザ機器ＵＥへの送信は「ダウンリンク」（ＤＬ）と呼ばれることがある。送信方法は、数Ｍｂｉｔ／ｓのデータレートを可能にできる。高速ダウンリンクパケットアクセス（ＨＳＤＰＡ）は、モバイル無線ネットワークの容量を増大させることができる。高速アップリンクパケットアクセス（ＨＳＵＰＡ）は、端末からネットワークへのデータ送信を最適化できる。本明細書で使用する、端末からネットワークへの送信は「アップリンク」（ＵＬ）と呼ばれることがある。アップリンクデータ送信方法は、数Ｍｂｉｔ／ｓのデータレートを可能にできる。ＨＳＰＡ＋は、３ＧＰＰ規格のリリース７において規定されているようにアップリンクとダウンリンクの両方においてなお一層の改善を可能にする。高速パケットアクセス（ＨＳＰＡ）方法は、一般に、例えば、ボイスオーバＩＰ（ＶｏＩＰ）、ビデオ会議およびモバイルオフィスアプリケーションの大容量のデータを送信するデータサービスにおいて、ダウンリンクとアップリンクとの間のより高速な対話を可能にする。
【００１９】
ハイブリッド自動再送要求（ＨＡＲＱ）などの高速データ送信プロトコルは、アップリンクとダウンリンクとの上で使用され得る。ハイブリッド自動再送要求（ＨＡＲＱ）のようなプロトコルは、受信者が、間違って受信された可能性があるパケットの再送信を自動的に要求できるようにする。
【００２０】
様々な実施形態が、アクセス端末に関連して本明細書で説明される。アクセス端末は、システム、加入者ユニット、加入者局、移動局、モバイル、リモート局、リモート端末、モバイルデバイス、ユーザ端末、端末、ワイヤレス通信デバイス、ユーザエージェント、ユーザデバイス、またはユーザ機器（ＵＥ）とも呼ばれることがある。アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、様々な実施形態が、基地局に関連して本明細書で説明される。基地局は、（１つまたは複数の）アクセス端末と通信するために利用でき、アクセスポイント、ノードＢ、進化型ノードＢ（ｅＮｏｄｅＢ）、または何らかの他の用語で呼ばれることもある。
【００２１】
次に図１を参照すると、本明細書で提示する様々な実施形態によるワイヤレス通信システム１００が示されている。システム１００は、複数のアンテナグループを含むことができる基地局１０２を備える。例えば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用できる。基地局１０２は、さらに、送信機チェーンおよび受信機チェーンを含むことができ、送信機チェーンおよび受信機チェーンの各々は、当業者なら諒解するように、信号送信および受信に関連する複数のコンポーネント（例えば、プロセッサ、変調器、マルチプレクサ、復調器、デマルチプレクサ、アンテナなど）を備えることができる。
【００２２】
基地局１０２は、アクセス端末１１６およびアクセス端末１２２などの１つまたは複数のアクセス端末と通信できるが、基地局１０２は、アクセス端末１１６および１２２と同様の実質的にいかなる数のアクセス端末とも通信できることを諒解されたい。アクセス端末１１６および１２２は、例えば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスとすることができる。図示のように、アクセス端末１１６はアンテナ１１２および１１４と通信しており、アンテナ１１２および１１４は、順方向リンク１１８を介してアクセス端末１１６に情報を送信し、逆方向リンク１２０を介してアクセス端末１１６から情報を受信する。さらに、アクセス端末１２２はアンテナ１０４および１０６と通信しており、アンテナ１０４および１０６は、順方向リンク１２４を介してアクセス端末１２２に情報を送信し、逆方向リンク１２６を介してアクセス端末１２２から情報を受信する。周波数分割複信（ＦＤＤ）システムでは、例えば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用できる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用できる。
【００２３】
アンテナの各グループおよび／またはそれらが通信するように指定されたエリアを、基地局１０２のセクタと呼ぶことができる。例えば、基地局１０２によってカバーされるエリアのセクタ中のアクセス端末に通信するようにアンテナグループを設計できる。順方向リンク１１８および１２４を介した通信では、基地局１０２の送信アンテナは、アクセス端末１１６および１２２の順方向リンク１１８および１２４の信号対雑音比を改善するためにビームフォーミングを利用できる。また、基地局１０２は、ビームフォーミングを利用して、関連するカバレージにわたってランダムに散在するアクセス端末１１６および１２２に送信するが、基地局が単一のアンテナを介してこの基地局のすべてのアクセス端末に送信する場合と比較して、隣接セル中のアクセス端末は干渉を受けにくい。
【００２４】
図２に、例示的なワイヤレス通信システム２００を示す。ワイヤレス通信システム２００には、簡潔さのために、１つの基地局２１０と、１つのアクセス端末２５０とが示される。ただし、システム２００は２つ以上の基地局および／または２つ以上のアクセス端末を含むことができ、追加の基地局および／またはアクセス端末は、以下で説明する例示的な基地局２１０およびアクセス端末２５０と実質的に同様または異なるものとすることができることを諒解されたい。さらに、基地局２１０および／またはアクセス端末２５０は、それらの間のワイヤレス通信を可能にするために、本明細書で説明するシステムおよび／または方法を採用できることを諒解されたい。
【００２５】
基地局２１０では、いくつかのデータストリームのトラフィックデータがデータソース２１２から送信（ＴＸ）データプロセッサ２１４に供給される。一例によれば、各データストリームは、対応アンテナを介して送信できる。ＴＸデータプロセッサ２１４は、トラフィックデータストリーム用に選択された特定の符号化方式に基づいて、このデータストリームをフォーマット化し、符号化し、インタリーブして、符号化データを与える。
【００２６】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにアクセス端末２５０において使用され得る。各データストリームの多重化されたパイロットおよびコード化データは、このデータストリーム用に選択された特定の変調方式（例えば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（例えば、シンボルマッピング）され得、変調シンボルを与えることができる。各データストリームのデータレート、符号化、および変調は、プロセッサ２３０によって実行または与えられる命令によって判断できる。
【００２７】
データストリームの変調シンボルはＴＸ  ＭＩＭＯプロセッサ２２０に供給され、ＴＸ  ＭＩＭＯプロセッサ２２０は、（例えば、ＯＦＤＭ用に）変調シンボルをさらに処理できる。次いで、ＴＸ  ＭＩＭＯプロセッサ２２０はＮT個の変調シンボルストリームをＮT個の送信機（ＴＭＴＲ）２２２ａ〜２２２ｔに供給する。様々な実施形態において、ＴＸ  ＭＩＭＯプロセッサ２２０は、データストリームのシンボルと、シンボルの送信元のアンテナとにビームフォーミング重みを適用する。
【００２８】
各送信機２２２は、対応シンボルストリームを受信し、処理して、１つまたは複数のアナログ信号を与え、さらに、それらのアナログ信号を調整（例えば、増幅、フィルタ処理、およびアップコンバート）して、ＭＩＭＯチャネルを介して送信するのに適した変調信号を与える。さらに、送信機２２２ａ〜２２２ｔからのＮT個の変調信号は、それぞれＮT個のアンテナ２２４ａ〜２２４ｔから送信される。
【００２９】
アクセス端末２５０では、送信された変調信号がＮR個のアンテナ２５２ａ〜２５２ｒによって受信され、各アンテナ２５２から受信された信号が、対応受信機（ＲＣＶＲ）２５４ａ〜２５４ｒに供給される。各受信機２５４は、対応信号を調整（例えば、フィルタ処理、増幅、およびダウンコンバート）し、調整された信号をデジタル化してサンプルを与え、さらに、それらのサンプルを処理して、対応する「受信」シンボルストリームを与える。
【００３０】
ＲＸデータプロセッサ２６０は、ＮR個の受信機２５４からＮR個の受信シンボルストリームを受信し、特定の受信機処理技法に基づいて処理して、ＮT個の「検出」シンボルストリームを供給できる。ＲＸデータプロセッサ２６０は、各検出シンボルストリームを復調し、デインタリーブし、復号して、データストリームのトラフィックデータを復元できる。ＲＸデータプロセッサ２６０による処理は、基地局２１０においてＴＸ  ＭＩＭＯプロセッサ２２０およびＴＸデータプロセッサ２１４によって行われる処理を補足するものである。
【００３１】
プロセッサ２７０は、上述のように、どの利用可能な技術を利用すべきかを周期的に判断できる。さらに、プロセッサ２７０は、行列インデックス部分とランク値部分とを備える逆方向リンクメッセージを作成できる。
【００３２】
逆方向リンクメッセージは、通信リンクおよび／または受信データストリームに関する様々なタイプの情報を備えることができる。逆方向リンクメッセージは、データソース２３６から複数のデータストリームのトラフィックデータをも受信するＴＸデータプロセッサ２３８によって処理され、変調器２８０によって変調され、送信機２５４ａ〜２５４ｒによって調整され、基地局２１０に返信され得る。
【００３３】
基地局２１０において、アクセス端末２５０からの変調信号は、アンテナ２２４によって受信され、受信機２２２によって調整され、復調器２４０によって復調され、ＲＸデータプロセッサ２４２によって処理されて、アクセス端末２５０によって送信された逆方向リンクメッセージが抽出される。さらに、プロセッサ２３０は、抽出されたメッセージを処理して、ビームフォーミング重みを判断するためにどのプリコーディング行列を使用すべきかを判断できる。
【００３４】
プロセッサ２３０および２７０は、それぞれ基地局２１０およびアクセス端末２５０における動作を指示（例えば、制御、調整、管理など）できる。対応プロセッサ２３０および２７０は、プログラムコードおよびデータを記憶するメモリ２３２および２７２に関連付けできる。プロセッサ２３０および２７０はまた、それぞれ、アップリンクとダウンリンクとに関して周波数推定値とインパルス応答推定値とを導き出すための計算を行える。
【００３５】
次に図３を参照すると、基地局３１０がワイヤレス端末と通信する例示的システムが示されている。図示のように、基地局３１０が物理ダウンリンク制御チャネル（ＰＤＣＣＨ）割当てをワイヤレス端末３２０に送信する場合、この後基地局は肯定応答（ＡＣＫ）トーンを、制御情報（すなわち、ＡＣＫまたは否定ＡＣＫ（ＮＡＫ）情報）またはランダムデータ（すなわち、不連続送信（ＤＴＸ）に対応するもの）のいずれかを含む物理アップリンク共有チャネル（ＰＵＳＣＨ）を介して受信できる。従って、受信機はトライステート復号を行って、ＡＣＫ、ＮＡＫまたはＤＴＸがＰＵＳＣＨを介して受信されたＡＣＫトーンの中に含まれているかどうかを判断しなければならない。
【００３６】
次に図４を参照すると、データとＡＣＫが同時に存在する場合の例示的なＰＵＳＣＨのフレーム構造が示されている。図示のように、ＡＣＫシンボルはコンステレーションの４隅にマッピングされた後、図４に示す順序で、高周波数から低周波数まで２つの基準信号シンボルの両側の４つのＯＦＤＭシンボルに繰り返し割り振られるので、一定数のトーンを占有する。ＡＣＫ送信に対応するデータトーンはパンクチャリングされる。ただし、ワイヤレス端末はＰＤＣＣＨ割当てに失敗する場合、ＡＣＫシンボルを送信しない（すなわち、通常のデータ送信が生じる）。ゆえに、この場合、ｅＮＢ受信機は、ＡＣＫまたはＮＡＣＫが送信されるのか、またはランダムデータが送信されるのか（すなわちＤＴＸ）どうかを見分けるためにトライステート復号を行わなければならない。従って、受信機がトライステート復号を行うための有効なアルゴリズムを設計することが課題である。
【００３７】
上述のように、本明細書は、共有アップリンクチャネル上でトライステート復号を促進するための方法および装置を開示する。具体的には、本明細書は、ＰＵＳＣＨを介して送信される場合、ＬＴＥアップリンクＨＡＲＱ−ＡＣＫシンボルのトライステート復号を促進するための方法および装置を開示する。ワイヤレス端末がＰＤＣＣＨ割当てを受信する場合にＡＣＫ／ＮＡＣＫシンボルを検出することに加えて、本明細書で説明する新規の態様はまた、ワイヤレス端末がＰＤＣＣＨ割当てを失敗する場合にＤＴＸを検出する。
【００３８】
次に図５を参照すると、ワイヤレス端末から受信された通信の復号を容易にする例示的な基地局のブロック図が示されている。図示のように、基地局５００は、プロセッサコンポーネント５１０と、メモリコンポーネント５２０と、受信コンポーネント５３０と、相関コンポーネント５４０と、復号コンポーネント５５０と、確率コンポーネント５６０と、送信コンポーネント５７０とを含み得る。
【００３９】
一態様では、プロセッサコンポーネント５１０が、複数の機能のいずれかを行うことに関係するコンピュータ可読命令を実行するように構成される。プロセッサコンポーネント５１０は、基地局５００から通信すべき情報を分析すること、並びに／あるいはメモリコンポーネント５２０、受信コンポーネント５３０、相関コンポーネント５４０、復号コンポーネント５５０、確率コンポーネント５６０、および／または送信コンポーネント５７０によって利用できる情報を生成することに専用の単一のプロセッサまたは複数のプロセッサであり得る。追加または代替として、プロセッサコンポーネント５１０は、基地局５００の１つまたは複数のコンポーネントを制御するように構成され得る。
【００４０】
別の態様では、メモリコンポーネント５２０が、プロセッサコンポーネント５１０に結合され、プロセッサコンポーネント５１０によって実行されるコンピュータ可読命令を記憶するように構成される。メモリコンポーネント５２０はまた、受信コンポーネント５３０、相関コンポーネント５４０、復号コンポーネント５５０、確率コンポーネント５６０、および／または送信コンポーネント５７０のいずれかによって生成されるデータとともに、トライステート復号アルゴリズムを含む複数の他のタイプのデータのいずれかを記憶するように構成され得る。メモリコンポーネント５２０は、ランダムアクセスメモリ、バッテリーバックアップ付きメモリ、ハードディスク、磁気テープなどを含む、いくつかの異なる構成で構成され得る。圧縮および自動バックアップなどの様々な特徴（例えば、Ｒｅｄｕｎｄａｎｔ  Ａｒｒａｙ  ｏｆ  Ｉｎｄｅｐｅｎｄｅｎｔ  Ｄｒｉｖｅｓ構成の使用）はまた、メモリコンポーネント５２０上に実装できる。
【００４１】
さらに別の態様では、受信コンポーネント５３０および送信コンポーネント５７０がまた、プロセッサコンポーネント５１０に結合され、基地局５００を外部エンティティとインターフェースするように構成される。例えば、受信コンポーネント５３０は、共有アップリンクチャネルを介して複数の肯定応答トーンを含む複数の符号化ビットを受信するように構成されてもよく、一方で送信コンポーネント５７０は、制御チャネル割当て（例えば、ＰＤＣＣＨ割当て）をワイヤレス端末に送信するように構成されてもよい。
【００４２】
図示のように、基地局５００はまた、相関コンポーネント５４０と復号コンポーネント５５０とを含む。このような実施形態内で、相関コンポーネント５４０は、複数の肯定応答トーン内の検出されたビットと、複数の有効な肯定応答コードワードのうちのいずれかに対応する有効なビットとの間の相関を表す相関値を確認するように構成される。一方、復号コンポーネント５５０は、相関値を閾値と比較することによって、複数の肯定応答トーン内の不連続送信を検出するように構成される。
【００４３】
ここでは、上述の相関値が複数のパラメータのいずれかによって決まり得るということに留意されたい。例えば、一実施形態では、相関コンポーネント５４０は、肯定応答インジケータについての予期ビット長（例えば、１ビットＡＣＫ、２ビットＡＣＫなど）を確認するように構成され、ただし、相関値は予期ビット長の関数である。別の実施形態では、相関コンポーネント５４０は、複数の有効な肯定応答コードワードの各々について変調次数（Ｑm）を確認するように構成され、ただし、相関値は変調次数の関数である。相関コンポーネント５４０はまた、複数の有効な肯定応答コードワードのうちの１つにそれぞれ関連する複数の潜在的相関値から相関値を選択するように構成され得、ただし、相関値は複数の潜在的相関値のうちの最大値である。
【００４４】
いくつかの実施形態の場合、基地局５００は、複数の肯定応答トーン内の検出されたビットの各々について対数尤度比を確認するように構成された確率コンポーネント５６０をさらに含む。これらの実施形態では、相関コンポーネント５４０はこの後、確立コンポーネント５６０によって確認された対数尤度比を利用する複数の復号アルゴリズムのいずれかに従って相関値を確認できる。例えば、相関コンポーネント５４０は、両方とも対数尤度比を利用する分割アルゴリズムまたは非分割アルゴリズムに従って相関値を確認するように構成され得る。
【００４５】
一態様では、非分割アルゴリズムを実装する場合、確立コンポーネント５６０が、検出されたビット内の情報ビットにそれぞれ対応する複数の対数尤度比を確認するように構成される。このような実施形態内では、相関コンポーネント５４０がこの後、複数の対数尤度比の値の関数として相関値を確認するように構成される。例えば、情報ビットの各々が対応するビット位置を有する態様では、相関コンポーネント５４０が、共通のビット位置を有する情報ビットのサブセットに関連する対数尤度比値の和にそれぞれ対応する複数の和を確認するように構成され、ただし、相関値は複数の和によって決まる。またさらなる態様では、相関コンポーネント５４０が、複数の対数尤度比値の各々について絶対値を確認するように構成され、ここで復号コンポーネント５５０は、相関値を複数の対数尤度比値の各々についての絶対値の和と比較することによって、不連続送信を検出するように構成される。
【００４６】
別の態様では、分割アルゴリズムを実装する場合、相関コンポーネント５４０が、複数の肯定応答トーンの各々を複数のセグメントに分割するように構成される。このような実施形態内では、複数のセグメントの各々が対応する対数尤度比値を有し、ここで相関コンポーネント５４０は、複数のセグメントの各々についての対応する対数尤度比値の関数として相関値を確認するようにさらに構成される。例えば、複数のセグメントの各々が対応するセグメント位置を有する態様では、相関コンポーネント５４０が、共通のセグメント位置を有する検出されたビットのサブセットに関連する対数尤度比値の和にそれぞれ対応する複数の和を確認するように構成される。相関コンポーネント５４０は次いで、複数の和に基づいて相関値を確認するようにさらに構成される。
【００４７】
図６を参照すると、共有アップリンクチャネル上でのトライステート復号を容易にするシステム６００が示される。システム６００は、例えば、基地局内に常駐できる。図示のように、システム６００はプロセッサ、ソフトウェア、またはそれらの組合せ（例えば、ファームウェア）によって実装される機能を表すことができる機能ブロックを含む。システム６００は、連携して動作できる電気的コンポーネントの論理グルーピング６０２を含む。図示のように、論理グルーピング６０２は、共有アップリンクチャネルを介して複数の符号化ビットを受信するための電気コンポーネント６１０を含むことができる。論理グルーピング６０２はまた、複数の符号化ビット内で複数の肯定応答トーンを識別するための電気コンポーネント６１２、並びに肯定応答トーン内の検出されたビットと有効な肯定応答コードワードに対応する有効ビットとの間の相関を確認するための電気コンポーネント６１４を含むことができる。さらに、論理グルーピング６０２は、相関を閾値と比較することによって、肯定応答トーンが不連続送信に対応する情報を含むかどうかを判断するための電気コンポーネント６１６を含むことができる。さらに、システム６００は、電気コンポーネント６１０、６１２、６１４および６１６に関連付けられた機能を実行するための命令を保持するメモリ６２０を含むことができる。メモリ６２０の外部にあるものとして図示されているが、電気コンポーネント６１０、６１２、６１４、および６１６はメモリ６２０の内部に存在できることを理解されたい。
【００４８】
次に図７を参照すると、ワイヤレス端末から受信された通信の復号を容易にするための例示的な方法を示すフローチャートが示されている。図示のように、プロセス７００は、本明細書の一態様によるトライステートデコーダを含む基地局によって行われ得る一連の動作を含む。例えば、プロセス７００は、一連の動作を実施するためにコンピュータ可読記憶媒体に記憶されたコンピュータ実行可能命令を実行するプロセッサを採用することによって実施され得る。別の実施形態では、プロセス７００の動作を実施するためのコードを備えるコンピュータ可読記憶媒体が企図される。
【００４９】
一態様では、プロセス７００は、動作７１０で制御割当てをワイヤレス端末に送信することによって開始する。例えば、このような制御割当ては、物理ダウンリンク制御チャネル（ＰＤＣＣＨ）上でワイヤレス端末に送信され得る。次に、動作７２０で、符号化ビットは共有アップリンクチャネルを介して（例えば、ＰＵＳＣＨを介して）ワイヤレス端末から受信され、ここで符号化ビットはＡＣＫシンボル（例えば、ＡＣＫまたはＮＡＫ）またはＤＴＸデータを含み得る。ＡＣＫシンボルは繰り返し送信される場合があるので、ここでは、符号化ビットは複数の送信を介して受信され得る。
【００５０】
符号化ビットを受信すると、次いで符号化ビットは動作７３０で処理される。ここで、このような処理は、符号化ビットの各々について対数尤度比値を確認することを含み得る。次いで、プロセス７００は、符号化ビット内の肯定応答トーンが識別される動作７４０に進む。
【００５１】
次に、動作７５０で、基地局のトライステートデコーダは、特定のパラメータ／アルゴリズムに従って肯定応答トーンを復号するように構成される。例えば、デコーダは、分割または非分割のいずれかの復号アルゴリズムを実装するように構成され得る。さらに、デコーダは、特定の変調次数（Ｑm）および／または肯定応答インジケータについての予期ビット長（例えば、１ビットＡＣＫ、２ビットＡＣＫなど）に従って肯定応答トーンを復号するように構成され得る。
【００５２】
ひとたび構成されると、次いでトライステートデコーダは、動作７６０で適切な相関値を確認できる。すなわち、肯定応答トーン内の検出されたビットと、複数の有効な肯定応答コードワードのうちのいずれかに対応する有効ビットとの間の相関に対応する相関値が確認される。一態様では、動作７６０は、複数の有効な肯定応答コードワードのうちの１つにそれぞれ関連する複数の潜在的相関値から相関値を選択することを含み、ただし、相関値は複数の潜在的相関値のうちの最大値である。上述のように、相関値はまた、特定の復号アルゴリズムによって変化し得る。例えば、肯定応答トーンを分割アルゴリズムに従って複数のセグメントに分割する場合、相関値は、複数のセグメントの各々についての対応する対数尤度比値に基づき得る（ただし、複数のセグメントの各々は対応するセグメント位置を有する）。同様に、肯定応答トーン内の情報ビットだけが利用される非分割アルゴリズムを実装する場合、相関値は、情報ビットの各々についての対応する対数尤度比値に基づき得る（ただし、情報ビットの各々は対応するビット位置を有する）。
【００５３】
次に、動作７７０で、トライステートデコーダは、符号化ビットがＡＣＫ反復シーケンスに対応するかどうかを判断する。ＡＣＫ反復シーケンスが実際に検出される場合、プロセス７００は、現在の相関データが保存され（例えば、第ｉ番目の送信に対応する相関値を確認するための相関目トリックなど）、プロセス７００が、この後の送信から受信される符号化ビットを処理するために折り返して動作７３０に戻るステップ７７５に進む。
【００５４】
ただし、ＡＣＫ反復シーケンスが動作７７０で検出されない場合、プロセス７００は、肯定応答トーンが復号される動作７８０で終了する。すなわち、動作７８０が相関値を閾値と比較することによって、肯定応答トーンが不連続送信に対応する情報を含むかどうかについて判断される。
【００５５】
例示的な符号化技法
以下の説明では、本明細書で説明する各種の復号態様に適合する例示的な符号化技法を示す。しかしながら、これらの例は単に説明の目的で示しており、本明細書で説明する復号態様に適合する各種の符号化技術のうちのいずれかを企図し得ることを諒解されたい。
【００５６】
一態様では、本明細書で説明する復号態様が、現在のＬＴＥ仕様書に従って符号化されたＰＵＳＣＨ送信を復号するために利用できる。すなわち、ＨＡＲＱ−ＡＣＫがどのようにＰＵＳＣＨ上で符号化、マッピングおよび送信されるのかに関連してＬＴＥ仕様書の中に記載されているように、以下の符号化技法が利用され得る：
・ＨＡＲＱ−ＡＣＫが１ビットの情報、すなわち、
【数１】
2013531925.tif 000003
【００５７】
からなる場合、最初に表１に従って符号化される。
【００５８】
・ＨＡＲＱ−ＡＣＫが２ビットの情報、すなわち、
【数２】
2013531925.tif 000004
【００５９】
からなる場合、最初に表２に従って符号化され、ここで
【数３】
2013531925.tif 000005
【００６０】
およびここで
【数４】
2013531925.tif 000006
【００６１】
はＸＯＲ演算を表す。
【表１】
2013531925.tif 000007
【表２】
2013531925.tif 000008
【００６２】
表１および表２中の「ｘ」は、ＨＡＲＱ−ＡＣＫ情報を搬送する変調シンボルのユークリッド距離を最大にする方法で、ＨＡＲＱ−ＡＣＫビットをスクランブルするプレースホルダである。
【００６３】
具体的には、以下に従ってスクランブリングプロシージャを説明できる。
【００６４】
Ｍbitが１つのサブフレームの中の物理アップリンク共有チャネルで送信されるビット数であるビットｂ（０），．．．，ｂ（Ｍbit−１）のブロックは、変調の前にＵＥ固有のスクランブルシーケンスでスクランブリングされ、この結果、以下の疑似コード
【数５】
2013531925.tif 000009
【００６５】
に従って、スクランブリングされたビットのブロック
【数６】
2013531925.tif 000010
【００６６】
となる。
【００６７】
１ビットＡＣＫについては、第１のダミービットは情報ビットと同じになるようにスクランブリングされるので、復号のために情報ビットと等しい重要性を有することに留意されたい。
【００６８】
ビットシーケンス
【数７】
2013531925.tif 000011
【００６９】
は、複数の符号化ＨＡＲＱ−ＡＣＫブロックの連結によって得られ、式中ＱACKは、すべての符号化ＨＡＲＱ−ＡＣＫブロックについての符号化ビットの総数である。符号化ＨＡＲＱ−ＡＣＫブロックの最後の連結は部分的であり得るので、総ビットシーケンス長はＱACKと等しい。ＨＡＲＱ−ＡＣＫ情報のためのチャネル符号のベクトルシーケンス出力は、
【数８】
2013531925.tif 000012
【００７０】
によって示され、式中Ｑ’ACK＝ＱACK／Ｑmであり、次のように得られる。
【数９】
2013531925.tif 000013
【００７１】
例示的な実装形態
以下の説明で、本明細書で説明する様々な態様によるＰＵＳＣＨ送信を復号するための例示的な実装形態を、上述のＬＴＥ仕様書によって符号化されたビットの復号に関連して示す。しかしながら、これらの例は単に説明の目的で示しており、様々な実施形態のいかなるものも、本明細書の範囲および趣旨内で企図され得ることを諒解されたい。
【００７２】
受信機では、データ＋制御の処理が、対数尤度比（ＬＬＲ）の計算が行われた直後の時点までデータのみの送信と同じであることが当業者には諒解されよう。ＡＣＫが構成されると、ＡＣＫトーン上のＬＬＲはＡＣＫプロセッサに渡され、以下の非分割プロシージャに従ってトライステート判定が行われる。背景のために、各々が情報ビット８５０を有するコードワード0８１０、コードワード1８２０、コードワード2８３０およびコードワード15８４０を介して送信される肯定応答トーン８００を描く図８を示す。この特定の例のために、１ビットＡＣＫが仮定され、ただし変調次数（Ｑm）は６である。
【００７３】
最初に、ＡＣＫプロセッサは受信されたＡＣＫ  ＬＬＲ（ｌ1、ｌ2、．．．、ｌN、ただしＮはＬＬＲの数である）をくまなく調べ、ＡＣＫ情報ビットに対応するすべてのＬＬＲ
【数１０】
2013531925.tif 000014
【００７４】
をまとめて
【数１１】
2013531925.tif 000015
【００７５】
のように加算し、任意のＡＣＫ情報ビットに対応するＬＬＲの絶対値
【数１２】
2013531925.tif 000016
【００７６】
をまとめて
【数１３】
2013531925.tif 000017
【００７７】
のように加算する。
【００７８】
次に、ＡＣＫプロセッサは、「情報ビット専用」コードワードＬＬＲ）相関）
【数１４】
2013531925.tif 000018
【００７９】
を計算し、式中ＬCは、復号のための各コードワードの長さである。次いで、ＡＣＫプロセッサはすべてのコードワード
【数１５】
2013531925.tif 000019
【００８０】
および対応する検出コードワード
【数１６】
2013531925.tif 000020
【００８１】
の中で最大「情報ビット専用」コードワードＬＬＲを発見し、式中ＮCは有効復号コードワードの数を表す（例えば、表３および４を参照されたい）。
【表３】
2013531925.tif 000021
【表４】
2013531925.tif 000022
【００８２】
表３および表４にそれぞれ図示するように、１ビットＡＣＫのためには２つの有効コードワード（ｃ１、ｃ２）が存在し、一方２ビットＡＣＫのためには４つの有効コードワード（ｃ１、ｃ２、ｃ３、ｃ４）が存在する。有効コードワードは、異なるＰＵＳＣＨ変調次数（Ｑm）のために＋／−１形式で与えられている。前述のように、１ビットＡＣＫについて、情報ビットからコピーされたビットである第２のビット（または第１のダミービット「ｘ」）は復号において情報ビットとみなされ、また各情報ビットについてＬＬＲ合計Ｌiを計算する際に含まれるべきである。一方、２ビットＡＣＫについては、情報ビット専用復号コードワードは情報ビット
【数１７】
2013531925.tif 000023
【００８３】
とパリティビット
【数１８】
2013531925.tif 000024
【００８４】
との両方を含む。これらのコードワードは、メモリの中にあらかじめ記憶されてもよい。しかしながら、変調次数にかかわらず、復号のために使用される情報ビット専用コードワードは、所与のＡＣＫペイロードサイズに対して常に同じであることに留意されたい。
【００８５】
ＡＣＫ反復が存在しない場合、
【数１９】
2013531925.tif 000025
【００８６】
を復号閾値γと比較することによって、復号の判定が直接行われ得る。
【数２０】
2013531925.tif 000026
【００８７】
の場合、ＤＴＸが表明され、そうでない場合、
【数２１】
2013531925.tif 000027
【００８８】
に対応する最初の１つまたは２つのビットがＡＣＫ／ＮＡＣＫ判定とみなされる。ここで、
【数２２】
2013531925.tif 000028
【００８９】
を復号メトリックとすると、このルールは次のように書くことができる。
【数２３】
2013531925.tif 000029
【００９０】
この復号アルゴリズムの背後にある有理は、ＡＣＫが実際に送信される場合、時間および周波数ドメインでのＡＣＫシンボルの反復のために、最大コードワード相関ＬＬＲ
【数２４】
2013531925.tif 000030
【００９１】
は平均ＬＬＲノルムλに非常に近づくということである。これは、コードワードの復号が＋／−形式であり、最大相関結果が、ＬＬＲの絶対値をとって加算することに等しいためであり、比率
【数２５】
2013531925.tif 000031
【００９２】
は平均で１にほぼ等しくなる。しかしながら、ＵＥがＤＬ  ＰＤＣＣＨ割当てに失敗する場合、ＡＣＫトーンに対応するシンボルはランダムデータとなり、ほぼ０のコードワード相関ＬＬＲ
【数２６】
2013531925.tif 000032
【００９３】
を生じさせる。従って、ＰＵＳＣＨがＤＴＸを含む場合、比率は０に近くなる。この
【数２７】
2013531925.tif 000033
【００９４】
の特性から見て、復号閾値γを０と１との間になるように、またＳＮＲ（標準雑音比）およびＰＵＳＣＨフレーム構造の中でＡＣＫに割り振られるトーン数とは無関係であるように設定するのが望ましい。例えば、復号閾値γは、ＤＴＸをＬＴＥ仕様書の中で必要とされる１０-2周辺のＡＣＫ誤り率で維持するために０．４に設定できる。
【００９５】
しかしながら、ＡＣＫ反復が構成される場合、各情報ビットについての復号メトリックおよび合計ＬＩＲは、以前の送信と合成されてもよい（注：これら以前の送信は、ＰＵＳＣＨまたはＰＵＣＣＨから来る場合がある）。ＰＵＳＣＨ  ＡＣＫおよびＰＵＣＣＨ  ＡＣＫは異なる復号アルゴリズムおよび閾値を使用することから、復号メトリックは合成の前に、βと同様に復号閾値によって正規化される必要があり得る。合成および復号は、以下のステップによって行われ得る。
【００９６】
最初に、各情報ビットについての合計ＬＬＲは、
【数２８】
2013531925.tif 000034
【００９７】
によって現在（ｔ番目）の送信のために記憶され得、一方で復号メトリックは、
【数２９】
2013531925.tif 000035
【００９８】
のように保存され得る。
【００９９】
次に、現在の送信が最後の送信である場合、合計ＬＬＲおよび復号メトリックは
【数３０】
2013531925.tif 000036
【０１００】
および
【数３１】
2013531925.tif 000037
【０１０１】
のように以前の送信と合成され得、式中Ｎｔは再送信の総数である。ここでは、情報ビット専用コードワードＬＬＲ（相関）は、
【数３２】
2013531925.tif 000038
【０１０２】
のように合成された合計ＬＬＲに基づいて計算され、
【数３３】
2013531925.tif 000039
【０１０３】
のようなすべてのコードワード、および対応する検出コードワード
【数３４】
2013531925.tif 000040
【０１０４】
の中で最大情報ビット専用コードワードＬＬＲを発見する。この場合、復号は以下のルールに基づき得る。
【数３５】
2013531925.tif 000041
【０１０５】
ここで提案する合成アルゴリズムは、トライステート復号のために各再送信からのすべての有用な情報を最大限に利用し、合成と最終復号の両方においてその効率を示す。
【０１０６】
例示的な通信システム
次に図９を参照すると、様々な態様に従って実装される、複数のセル、すなわちセルＩ９０２、セルＭ９０４を含む例示的な通信システム９００が与えられている。ここで、セル境界領域９６８によって示されるように、近隣セル９０２、９０４はわずかに重複し、それによって近隣セル中の基地局によって送信される信号間の信号干渉の可能性が生じることに留意されたい。システム９００の各セル９０２、９０４は３つのセクタを含む。様々な態様によれば、複数のセクタに再分割されなかったセル（Ｎ＝１）、２つのセクタをもつセル（Ｎ＝２）、および３つ以上のセクタをもつセル（Ｎ＞３）も可能である。セル９０２は、第１のセクタ、セクタＩ９１０と、第２のセクタ、セクタＩＩ９１２と、第３のセクタ、セクタＩＩＩ９１４とを含む。各セク９１０、９１２および９１４は、２つのセクタ境界領域を有し、各境界領域は、２つの隣接するセクタ間で共有される。
【０１０７】
セクタ境界領域は、近隣セクタ中の基地局によって送信される信号間の信号干渉の可能性をもたらす。線９１６はセクタＩ９１０とセクタＩＩ９１２との間のセクタ境界領域を表し、線９１８はセクタＩＩ９１２とセクタＩＩＩ９１４との間のセクタ境界領域を表し、線９２０はセクタＩＩＩ９１４とセクタＩ９１０との間のセクタ境界領域を表す。同様に、セルＭ９０４は、第１のセクタ、セクタＩ９２２と、第２のセクタ、セクタＩＩ９２４と、第３のセクタ、セクタＩＩＩ９２６とを含む。線９２８はセクタＩ９２２とセクタＩＩ９２４との間のセクタ境界領域を表し、線９３０はセクタＩＩ９２４とセクタＩＩＩ９２６との間のセクタ境界領域を表し、線９３２はセクタＩＩＩ９２６とセクタＩ９２２との間にセクタ境界領域を表す。セルＩ９０２は、各セクタ９１０、９１２、９１４中に基地局（ＢＳ）と、基地局Ｉ９０６と、複数のエンドノード（ＥＮ）とを含む。セクタＩ９１０は、ワイヤレスリンク９４０、９４２を介してＢＳ９０６にそれぞれ結合されたＥＮ（１）９３６とＥＮ（Ｘ）９３８とを含み、セクタＩＩ９１２は、ワイヤレスリンク９４８、９５０を介してＢＳ９０６にそれぞれ結合されたＥＮ（１’）９４４とＥＮ（Ｘ’）９４６とを含み、セクタＩＩＩ９１４は、ワイヤレスリンク９５６、９５８を介してＢＳ９０６にそれぞれ結合されたＥＮ（１’’）９５２とＥＮ（Ｘ’’）９５４とを含む。同様に、セルＭ９０４は、各セクタ９２２、９２４および９２６中に基地局Ｍ９０８と複数のエンドノード（ＥＮ）とを含む。セクタＩ９２２は、ワイヤレスリンク９４０’、９４２’を介してＢＳ  Ｍ９０８にそれぞれ結合されたＥＮ（１）９３６’とＥＮ（Ｘ）９３８’とを含み、セクタＩＩ９２４は、ワイヤレスリンク９４８’、９５０’を介してＢＳ  Ｍ９０８にそれぞれ結合されたＥＮ（１’）９４４’とＥＮ（Ｘ’）９４６’とを含み、セクタ３  ９２６は、ワイヤレスリンク９５６’、９５８’を介してＢＳ９０８にそれぞれ結合されたＥＮ（１’’）９５２’とＥＮ（Ｘ’’）９５４’とを含む。
【０１０８】
システム９００はまた、ネットワークリンク９６２、９６４を介してＢＳ  Ｉ９０６とＢＳ  Ｍ９０８とにそれぞれ結合されたネットワークノード９６０を含む。ネットワークノード９６０はまた、ネットワークリンク９６６を介して、例えば、他の基地局、ＡＡＡサーバノード、中間ノード、ルータなどの他のネットワークノードと、インターネットとに結合される。ネットワークリンク９６２、９６４、９６６は、例えば、光ファイバケーブルであり得る。各エンドノード、例えば、ＥＮ１  ９３６は、送信機並びに受信機を含むワイヤレス端末であり得る。ワイヤレス端末、例えば、ＥＮ（１）９３６は、システム９００を移動し得、ＥＮが現在位置するセル中の基地局とワイヤレスリンクを介して通信し得る。ワイヤレス端末（ＷＴ）、例えばＥＮ（１）９３６は、基地局、例えば、ＢＳ９０６、および／またはネットワークノード９６０を介して、ピアノード、例えば、システム９００中またはシステム９００外の他のＷＴと通信し得る。ＷＴ、例えば、ＥＮ（１）９３６は、セルフォン、ワイヤレスモデムをもつ個人情報端末などのモバイル通信デバイスであり得る。それぞれ基地局は、トーンを割り振り、休止シンボル期間、例えば、非ストリップシンボル期間中にトーンホッピングを判断するために採用される方法とは異なる、ストリップシンボル期間のための方法を使用してトーンサブセット割振りを行う。ワイヤレス端末は、基地局から受信した情報、例えば、基地局スロープＩＤ、セクタＩＤ情報とともにトーンサブセット割振り方法を使用して、ワイヤレス端末が特定のストリップシンボル期間においてデータおよび情報を受信するために採用できるトーンを判断する。トーンサブセット割振りシーケンスは、それぞれのトーン上のセクタ間干渉およびセル間干渉を拡散するために、様々な態様に従って構築される。主題のシステムについて主にセルラーモードのコンテキスト内で説明したが、本明細書で説明する態様によれば、複数のモードが利用可能であり、採用可能であり得ることを諒解されたい。
【０１０９】
例示的な基地局
図１０は、様々な態様による、例示的な基地局１０００を示す。基地局１０００は、トーンサブセット割振りシーケンスを実装し、異なるトーンサブセット割振りシーケンスは、セルのそれぞれの異なるセクタタイプに対して生成される。基地局１０００は、図９のシステム９００の基地局９０６、９０８のうちのいずれか１つとして使用され得る。基地局１０００は、バス１００９によって互いに結合された、受信機１００２と、送信機１００４と、プロセッサ１００６、例えば、ＣＰＵと、入出力インターフェース１００８と、メモリ１０１０とを含み、バス１１０９を介して、様々な要素１００２、１００４、１００６、１００８および１０１０はデータおよび情報を交換し得る。
【０１１０】
受信機１００２に結合されたセクタ化されたアンテナ１００３は、基地局のセル内の各セクタからのワイヤレス端末送信から、データおよび他の信号、例えば、チャネル報告を受信するために使用される。送信機１００４に結合されたセクタ化されたアンテナ１００５は、基地局のセルの各セクタ内のワイヤレス端末１１００（図１１を参照）に、データおよび他の信号、例えば、制御信号、パイロット信号、ビーコン信号などを送信するために使用される。様々な態様では、基地局１０００は、複数の受信機１００２および複数の送信機１００４、例えば、各セクタの個々の受信機１００２および各セクタの個々の送信機１００４を採用し得る。プロセッサ１００６は、例えば、汎用中央処理ユニット（ＣＰＵ）であり得る。プロセッサ１００６は、メモリ１０１０に記憶された１つまたは複数のルーチン１０１８の指示の下で基地局１０００の動作を制御して方法を実施する。入出力インターフェース１００８は、他のネットワークノードへの接続を与え、ＢＳ１０００を他の基地局、アクセスルータ、ＡＡＡサーバノードなど、他のネットワーク、およびインターネットに結合する。メモリ１０１０は、ルーチン１０１８とデータ／情報１０２０とを含む。
【０１１１】
データ／情報１０２０は、データ１０３６と、ダウンリンクストリップシンボル時間情報１０４０およびダウンリンクトーン情報１０４２を含むトーンサブセット割振りシーケンス情報１０３８と、複数のワイヤレス端末（ＷＴ）情報のセット：ＷＴ１情報１０４６とＷＴ  Ｎ情報１０６０とを含むＷＴデータ／情報１０４４とを含む。ＷＴ情報の各セット、例えば、ＷＴ１情報１０４６は、データ１０４８と、端末ＩＤ１０５０と、セクタＩＤ１０５２と、アップリンクチャネル情報１０５４と、ダウンリンクチャネル情報１０５６と、モード情報１０５８とを含む。
【０１１２】
ルーチン１０１８は、通信ルーチン１０２２と基地局制御ルーチン１０２４とを含む。基地局制御ルーチン１０２４は、スケジューラモジュール１０２６と、ストリップシンボル期間のためのトーンサブセット割振りルーチン１０３０、シンボル期間の残り、例えば、非ストリップシンボル期間のための他のダウンリンクトーン割振りホッピングルーチン１０３２、およびビーコンルーチン１０３４を含むシグナリングルーチン１０２８とを含む。
【０１１３】
データ１０３６は、ＷＴへの送信より前に符号化するための送信機１００４のエンコーダ１０１４に送られることになる、送信すべきデータと、受信に続いて受信機１００２のデコーダ１０１２を通して処理された、ＷＴから受信されたデータとを含む。ダウンリンクストリップシンボル時間情報１０４０は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、並びにこのストリップシンボルが基地局によって使用されたトーンサブセット割振りシーケンスを切り捨てるべきリセットポイントであるかどうかを指定する情報とを含む。ダウンリンクトーン情報１０４２は、基地局１０００に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１１４】
データ１０４８は、ＷＴ１  １１００がピアノードから受信したデータと、ＷＴ１  １１００がピアノードに送信されることを望むデータと、ダウンリンクチャネル品質報告フィードバック情報とを含み得る。端末ＩＤ１０５０は、ＷＴ１  １１００を識別する、基地局１０００によって割り当てられたＩＤである。セクタＩＤ１０５２は、ＷＴ１  １１００が動作しているセクタを識別する情報を含む。セクタＩＤ１０５２は、例えば、セクタタイプを判断するために使用され得る。アップリンクチャネル情報１０５４は、ＷＴ１  １１００が使用するように、スケジューラ１０２６によって割り振られたチャネルセグメント、例えば、データのためのアップリンクトラフィックチャネルセグメント、要求、電力制御、タイミング制御などのための専用アップリンク制御チャネルを識別する情報を含む。ＷＴ１  １１００に割り当てられた各アップリンクチャネルは１つまたは複数の論理トーンを含み、各論理トーンはアップリンクホッピングシーケンスに追従する。ダウンリンクチャネル情報１０５６は、データおよび／または情報をＷＴ１  １１００に搬送するようにスケジューラ１０２６によって割り振られたチャネルセグメント、例えば、ユーザデータのためのダウンリンクトラフィックチャネルセグメントを識別する情報を含む。ＷＴ１  １１００に割り当てられた各ダウンリンクチャネルは１つまたは複数の論理トーンを含み、各論理トーンはダウンリンクホッピングシーケンスに追従する。モード情報１０５８は、ＷＴ１  １１００の動作の状態、例えば、スリープ、ホールド、オンを識別する情報を含む。
【０１１５】
通信ルーチン１０２２は、様々な通信動作を行いし、様々な通信プロトコルを実施するように基地局１０００を制御する。基地局制御ルーチン１０２４は、基本的な基地局機能タスク、例えば、信号生成および受信、スケジューリングを行い、ストリップシンボル期間中にトーンサブセット割振りシーケンスを使用して信号をワイヤレス端末に送信することを含む、いくつかの態様の方法のステップを実施するように、基地局１０００を制御するために使用される。
【０１１６】
シグナリングルーチン１０２８は、デコーダ１０１２をもつ受信機１００２と、エンコーダ１０１４をもつ送信機１００４との動作を制御する。シグナリングルーチン１０２８は、送信データ１０３６と制御情報との生成を制御することを受け持つ。トーンサブセット割振りルーチン１０３０は、本態様の方法を使用して、さらにダウンリンクストリップシンボル時間情報１０４０とセクタＩＤ１０５２とを含むデータ／情報１０２０を使用して、ストリップシンボル期間中に使用すべきトーンサブセットを構築する。ダウンリンクトーンサブセット割振りシーケンスは、セル中のセクタタイプごとに異なり、また、隣接するセルごとに異なる。ＷＴ１１００は、ダウンリンクトーンサブセット割振りシーケンスに従ってストリップシンボル期間中に信号を受信し、基地局１０００は、送信信号を生成するために、同じダウンリンクトーンサブセット割振りシーケンスを使用する。他のダウンリンクトーン割振りホッピングルーチン１０３２は、ストリップシンボル期間以外のシンボル期間について、ダウンリンクトーン情報１０４２とダウンリンクチャネル情報１０５６とを含む情報を使用して、ダウンリンクトーンホッピングシーケンスを構築する。ダウンリンクデータトーンホッピングシーケンスは、セルのセクタにわたって同期させられる。ビーコンルーチン１０３４は、同期の目的のために、例えば、ダウンリンク信号のフレームタイミング構造、従ってウルトラスロット境界に関するトーンサブセット割振りシーケンスを同期させるために使用され得るビーコン信号、例えば、１つまたは数個のトーン上に集中される比較的高い電力信号の送信を制御する。
【０１１７】
例示的なワイヤレス端末
図１１は、図９に示すシステム９００のワイヤレス端末（エンドノード）のいずれか１つ、例えば、ＥＮ（１）９３６として使用できる例示的なワイヤレス端末（エンドノード）１１００を示している。ワイヤレス端末１１００はトーンサブセット割振りシーケンスを実施する。ワイヤレス端末１１００は、バス１１１０によって互いに結合された、デコーダ１１１２を含む受信機１１０２と、エンコーダ１１１４を含む送信機１１０４と、プロセッサ１１０６と、メモリ１１０８とを含み、バス１１１０を介して、様々な要素１１０２、１１０４、１１０６、１１０８はデータおよび情報を交換できる。基地局（および／または異種ワイヤレス端末）から信号を受信するために使用されるアンテナ１１０３が、受信機１１０２に結合される。信号を、例えば、基地局（および／または異種ワイヤレス端末）に送信するために使用されるアンテナ１１０５が、送信機１１０４に結合される。
【０１１８】
プロセッサ１１０６、例えばＣＰＵは、ワイヤレス端末１１００の動作を制御し、メモリ１１０８の中のルーチン１１２０を実行することと、データ／情報１１２２を使用することとによって方法を実施する。
【０１１９】
データ／情報１１２２は、ユーザデータ１１３４と、ユーザ情報１１３６と、トーンサブセット割振りシーケンス情報１１５０とを含む。ユーザデータ１１３４は、ピアノードを対象とする、送信機１１０４による基地局への送信より前に符号化するためのエンコーダ１１１４にルーティングされることになるデータと、受信機１１０２中のデコーダ１１１２によって処理された基地局から受信されたデータとを含み得る。ユーザ情報１１３６は、アップリンクチャネル情報１１３８と、ダウンリンクチャネル情報１１４０と、端末ＩＤ情報１１４２と、基地局ＩＤ情報１１４４と、セクタＩＤ情報１１４６と、モード情報１１４８とを含む。アップリンクチャネル情報１１３８は、基地局に送信するときにワイヤレス端末１１００が使用するように、基地局によって割り当てられたアップリンクチャネルセグメントを識別する情報を含む。アップリンクチャネルは、アップリンクトラフィックチャネル、専用アップリンク制御チャネル、例えば、要求チャネル、電力制御チャネルおよびタイミング制御チャネルを含み得る。各アップリンクチャネルは１つまたは複数の論理トーンを含み、各論理トーンはアップリンクトーンホッピングシーケンスに追従する。アップリンクホッピングシーケンスは、セルの各セクタタイプ間で異なり、隣接するセル間で異なる。ダウンリンクチャネル情報１１４０は、基地局がデータ／情報をＷＴ１１００に送信しているときに使用するために、基地局によってＷＴ１１００に割り当てられたダウンリンクチャネルセグメントを識別する情報を含む。ダウンリンクチャネルは、ダウンリンクトラフィックチャネルと割当てチャネルとを含み得、各ダウンリンクチャネルは１つまたは複数の論理トーンを含み、各論理トーンは、セルの各セクタ間で同期させられるダウンリンクホッピングシーケンスに追従する。
【０１２０】
また、ユーザ情報１１３６は、基地局によって割り当てられた識別情報である端末ＩＤ情報１１４２と、ＷＴが通信を確立した特定の基地局を識別する基地局ＩＤ情報１１４４と、ＷＴ１１００が現在位置を特定されたセルの特定のセクタを識別するセクタＩＤ情報１１４６とを含む。基地局ＩＤ１１４４はセルスロープ値を与え、セクタＩＤ情報１１４６はセクタインデックスタイプを与え、セルスロープ値およびセクタインデックスタイプは、トーンホッピングシーケンスを導出するために使用され得る。同じくユーザ情報１１３６中に含まれるモード情報１１４８は、ＷＴ１１００がスリープモード中か、ホールドモード中か、オンモード中かを識別する。
【０１２１】
トーンサブセット割振りシーケンス情報１１５０は、ダウンリンクストリップシンボル時間情報１１５２とダウンリンクトーン情報１１５４と含む。ダウンリンクストリップシンボル時間情報１１５２は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、並びにこのストリップシンボルが基地局によって使用されたトーンサブセット割振りシーケンスを切り捨てるべきリセットポイントであるかどうかを指定する情報とを含む。ダウンリンクトーン情報１１５４は、基地局に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１２２】
ルーチン１１２０は、通信ルーチン１１２４とワイヤレス端末制御ルーチン１１２６とを含む。通信ルーチン１１２４は、ＷＴ１１００によって使用される様々な通信プロトコルを制御する。ワイヤレス端末制御ルーチン１１２６は、受信機１１０２と送信機１１０４との制御を含む基本的ワイヤレス端末１１００機能を制御する。ワイヤレス端末制御ルーチン１１２６はシグナリングルーチン１１２８を含む。シグナリングルーチン１１２８は、ストリップシンボル期間のためのトーンサブセット割振りルーチン１１３０と、シンボル期間の残り、例えば、非ストリップシンボル期間のための他のダウンリンクトーン割振りホッピングルーチン１１３２とを含む。トーンサブセット割振りルーチン１１３０は、いくつかの態様に従ってダウンリンクトーンサブセット割振りシーケンスを生成し、基地局から送信された受信データを処理するために、ダウンリンクチャネル情報１１４０と、基地局ＩＤ情報１１４４、例えば、スロープインデックスおよびセクタタイプと、ダウンリンクトーン情報１１５４とを含むユーザデータ／情報１１２２を使用する。他のダウンリンクトーン割振りホッピングルーチン１１３０は、ストリップシンボル期間以外のシンボル期間について、ダウンリンクトーン情報１１５４とダウンリンクチャネル情報１１４０とを含む情報を使用して、ダウンリンクトーンホッピングシーケンスを構築する。トーンサブセット割振りルーチン１１３０は、プロセッサ１１０６によって実行されたとき、いつ、およびどのトーン上で、ワイヤレス端末１１００が基地局１０００から１つまたは複数のストリップシンボル信号を受信することになるかを判断するために使用される。アップリンクトーン割振りホッピングルーチン１１３０は、基地局から受信された情報とともに、トーンサブセット割振り機能を使用して、それが送信すべきトーンを判断する。
【０１２３】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信できる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体でよい。限定ではなく例として、このようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびブルーレイ（登録商標）ディスク（ｄｉｓｃ）を含み、ディスク（ｄｉｓｋ）は、通常、データを磁気的に再生し、ディスク（ｄｉｓｃ）は、データをレーザで光学的に再生する。上記の組合せもコンピュータ可読媒体の範囲内に含めるべきである。
【０１２４】
実施形態がプログラムコードまたはコードセグメント中に実装されるとき、コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができることを諒解されたい。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、任意の適切な手段を使用してパス、フォワーディング、または送信できる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐できる。
【０１２５】
ソフトウェア実装の場合、本明細書で説明する技法は、本明細書で説明する機能を行うモジュール（例えば、プロシージャ、関数など）を用いて実装できる。ソフトウェアコードは、メモリユニットに記憶し、プロセッサによって実行できる。メモリユニットは、プロセッサの内部またはプロセッサの外部に実装でき、この場合、当技術分野で知られているように様々な手段によってプロセッサに通信可能に結合できる。
【０１２６】
ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を行うように設計された他の電子ユニット、またはそれらの組合せの中で実装できる。
【０１２７】
以上の説明は、１つまたは複数の実施形態の例を含む。もちろん、上述の実施形態について説明する目的で、コンポーネントまたは方法のあらゆる考えられる組合せについて説明することは不可能であるが、当業者なら、様々な実施形態の多数のさらなる組合せおよび置換が可能であることを認識できよう。従って、説明した実施形態は、添付の特許請求の範囲の趣旨および範囲内に入るすべてのこのような改変形態、変更形態および変形形態を包含するものとする。さらに、「含む（Ｉｎｃｌｕｄｅ）」という用語は、発明を実施するための形態または特許請求の範囲のいずれかにおいて使用される限り、「備える（ｃｏｍｐｒｉｓｉｎｇ）」という用語を採用すると請求項における移行語と解釈されるように「備える（ｃｏｍｐｒｉｓｉｎｇ）」と同様に包括的なものとする。
【０１２８】
本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、例えば、状態の確率分布を生成できる。推論は、確率的、すなわち、データおよび事象の考察に基づく当該の状態の確率分布の計算とすることができる。推論は、事象および／またはデータのセットからより高いレベルの事象を構成するために採用される技法を指すこともある。このような推論から、イベントが時間的に緊切して相関するか否かにかかわらず、並びにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１２９】
さらに、本出願で使用する「コンポーネント」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。例えば、コンポーネントは、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、このコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散できる。さらに、これらのコンポーネントは、様々なデータ構造を記憶している様々なコンピュータ可読媒体から実行できる。これらのコンポーネントは、１つまたは複数のデータパケット（例えば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信できる。
【図１】
2013531925.tif 000042
【図２】
2013531925.tif 000043
【図３】
2013531925.tif 000044
【図４】
2013531925.tif 000045
【図５】
2013531925.tif 000046
【図６】
2013531925.tif 000047
【図７】
2013531925.tif 000048
【図８】
2013531925.tif 000049
【図９】
2013531925.tif 000050
【図１０】
2013531925.tif 000051
【図１１】
2013531925.tif 000052
【手続補正書】
【提出日】平成25年3月19日(2013.3.19)
【手続補正１】
【補正対象書類名】明細書
【補正対象項目名】０１０７
【補正方法】変更
【補正の内容】
【０１０７】
セクタ境界領域は、近隣セクタ中の基地局によって送信される信号間の信号干渉の可能性をもたらす。線９１６はセクタＩ９１０とセクタＩＩ９１２との間のセクタ境界領域を表し、線９１８はセクタＩＩ９１２とセクタＩＩＩ９１４との間のセクタ境界領域を表し、線９２０はセクタＩＩＩ９１４とセクタＩ９１０との間のセクタ境界領域を表す。同様に、セルＭ９０４は、第１のセクタ、セクタＩ９２２と、第２のセクタ、セクタＩＩ９２４と、第３のセクタ、セクタＩＩＩ９２６とを含む。線９２８はセクタＩ９２２とセクタＩＩ９２４との間のセクタ境界領域を表し、線９３０はセクタＩＩ９２４とセクタＩＩＩ９２６との間のセクタ境界領域を表し、線９３２はセクタＩＩＩ９２６とセクタＩ９２２との間にセクタ境界領域を表す。セルＩ９０２は、各セクタ９１０、９１２、９１４中に基地局（ＢＳ）と、基地局Ｉ９０６と、複数のエンドノード（ＥＮ）とを含む。セクタＩ９１０は、ワイヤレスリンク９４０、９４２を介してＢＳ９０６にそれぞれ結合されたＥＮ（１）９３６とＥＮ（Ｘ）９３８とを含み、セクタＩＩ９１２は、ワイヤレスリンク９４８、９５０を介してＢＳ９０６にそれぞれ結合されたＥＮ（１’）９４４とＥＮ（Ｘ’）９４６とを含み、セクタＩＩＩ９１４は、ワイヤレスリンク９５６、９５８を介してＢＳ９０６にそれぞれ結合されたＥＮ（１’’）９５２とＥＮ（Ｘ’’）９５４とを含む。同様に、セルＭ９０４は、各セクタ９２２、９２４および９２６中に基地局Ｍ９０８と複数のエンドノード（ＥＮ）とを含む。セクタＩ９２２は、ワイヤレスリンク９４０’、９４２’を介してＢＳ  Ｍ９０８にそれぞれ結合されたＥＮ（１）９３６’とＥＮ（Ｘ）９３８’とを含み、セクタＩＩ９２４は、ワイヤレスリンク９４８’、９５０’を介してＢＳ  Ｍ９０８にそれぞれ結合されたＥＮ（１’）９４４’とＥＮ（Ｘ’）９４６’とを含み、セクタＩＩＩ９２６は、ワイヤレスリンク９５６’、９５８’を介してＢＳ９０８にそれぞれ結合されたＥＮ（１’’）９５２’とＥＮ（Ｘ’’）９５４’とを含む。
【国際調査報告】
2013531925.tif 000053
2013531925.tif 000054
2013531925.tif 000055